(57)【要約】      （修正有）【課題】グラフィカルユーザインターフェースにより操作を受け付ける通信装置において、より直観的な操作を可能とすることにより使い勝手を向上させる技術を提供する。【解決手段】電話端末は、電話番号（アドレス情報）２８１に関連付けられ、この電話番号２８１により特定される通話相手の画像情報２８３および文字情報２８２の少なくとも一方を含む表示データであるリッチアイコン２８０を操作画面に表示する。そして、操作画面を介して、このリッチアイコン２８０に対する操作を受け付けたならば、このリッチアイコン２８０に関連付けられている電話番号２８１により特定される通話相手に対する呼の発着信、保留、転送等を、このリッチアイコン２８０に対する操作内容に従って制御する。【選択図】図５
2014175677.tif 000002
【特許請求の範囲】
【請求項１】
グラフィカルユーザインターフェースにより操作を受け付ける通信装置であって、
アドレス情報に関連付けられ、当該アドレス情報により特定される相手の画像情報および文字情報の少なくとも一方を含む表示データであるリッチアイコンを前記グラフィカルユーザインターフェースに表示するリッチアイコン表示手段と、
前記グラフィカルユーザインターフェースに表示されている前記リッチアイコンに対する操作を受け付けるリッチアイコン操作受付手段と、
前記リッチアイコン操作受付手段により前記リッチアイコンに対する操作を受け付けた場合に、当該リッチアイコンに関連付けられている前記アドレス情報により特定される相手に対する通信を、当該リッチアイコンに対する操作内容に従って制御する通信制御手段と、を有する
ことを特徴とする通信装置。
【請求項２】
請求項１に記載の通信装置であって、
前記通信制御手段は、
前記リッチアイコン操作受付手段により、前記リッチアイコンをドラッグして、前記グラフィカルユーザインターフェースに表示されているアクティブウインドウ内にドロップする操作を受け付けた場合に、前記リッチアイコンに関連付けられている前記アドレス情報により特定される相手から呼が着信しているならば、当該呼に着信応答し、当該相手から呼が着信していないならば、当該相手に呼を発信し、当該相手との通話を保留中ならば、当該通話の保留を解除する
ことを特徴とする通信装置。
【請求項３】
請求項２に記載の通信装置であって、
前記通信制御手段は、
前記リッチアイコン操作受付手段により、前記アクティブウインドウ内に配置されている前記リッチアイコンをドラッグして、前記グラフィカルユーザインターフェースに表示されている非アクティブウインドウ内にドロップする操作を受け付けた場合に、前記リッチアイコンに関連付けられている前記アドレス情報により特定される相手との通話を保留する
ことを特徴とする通信装置。
【請求項４】
請求項３に記載の通信装置であって、
前記通信制御手段は、
前記リッチアイコン操作受付手段により、前記アクティブウインドウ内に配置されている前記リッチアイコンをドラッグして、前記非アクティブウインドウ内にドロップする操作を受け付けた場合に、前記非アクティブウインドウ内に他の前記リッチアイコンが配置されているならば、ドラッグした前記リッチアイコンに関連付けられている前記アドレス情報により特定される相手との呼を、前記非アクティブウインドウ内に配置されている他の前記リッチアイコンに関連付けられている前記アドレス情報により特定される他の相手へ転送する
ことを特徴とする通信装置。
【請求項５】
請求項２ないし４のいずれか一項に記載の通信装置であって、
前記リッチアイコン操作受付手段により、前記アクティブウインドウに配置されている前記リッチアイコンをドラッグして、前記グラフィカルユーザインターフェースに表示されている会議スペースウインドウ内にドロップする操作を受け付けた場合に、当該リッチアイコンに関連付けられている前記アドレス情報により特定される相手との通話を保留し、前記会議スペースウインドウ内に複数の前記リッチアイコンが配置されている状態で前記グラフィカルユーザインターフェースに表示されている会議開始ボタンが選択された場合に、前記会議スペースウインドウ内に配置されている複数の前記リッチアイコンのそれぞれに関連付けられている前記アドレス情報により特定される複数の相手との通話の保留を解除して、多者通話を開始する
ことを特徴とする通信装置。
【請求項６】
請求項１ないし５のいずれか一項に記載の通信装置であって、
前記アドレス情報を当該アドレス情報により特定される相手の画像情報および文字情報の少なくとも一方に関連付けて記憶するアドレス帳記憶手段をさらに有し、
前記リッチアイコン表示手段は、
前記グラフィカルユーザインターフェースに表示されているアドレス帳ボタンが選択された場合に、前記アドレス帳記憶手段に記憶されている前記アドレス情報毎に、当該アドレス情報に関連付けられて前記アドレス帳記憶手段に記憶されている画像情報および文字情報の少なくとも一方を含む前記リッチアイコンを前記グラフィカルユーザインターフェースに表示する
ことを特徴とする通信装置。
【請求項７】
請求項６に記載の通信装置であって、
自通信装置を収容する主装置からパーク保留されている相手のアドレス情報を取得するパーク保留情報取得手段をさらに有し、
前記リッチアイコン表示手段は、
前記グラフィカルユーザインターフェースに表示されているパーク保留ボタンが選択された場合に、前記パーク保留情報取得手段により取得した前記アドレス情報毎に、当該アドレス情報に関連付けられて前記アドレス帳記憶手段に記憶されている画像情報および文字情報の少なくとも一方を含む前記リッチアイコンを前記グラフィカルユーザインターフェースに表示する
ことを特徴とする通信装置。
【請求項８】
通信手段を備え、グラフィカルユーザインターフェースで操作を受け付けるコンピュータで読取り可能なプログラムであって、
前記プログラムは、前記コンピュータを、
アドレス情報に関連付けられ、当該アドレス情報により特定される相手の画像情報および文字情報の少なくとも一方を含む表示データであるリッチアイコンを前記グラフィカルユーザインターフェースに表示するリッチアイコン表示手段、
前記グラフィカルユーザインターフェースに表示されている前記リッチアイコンに対する操作を受け付けるリッチアイコン操作受付手段、および
前記リッチアイコン操作受付手段により前記リッチアイコンに対する操作を受け付けた場合に、当該リッチアイコンに関連付けられている前記アドレス情報により特定される相手に対する通信を、当該リッチアイコンに対する操作内容に従って制御する通信制御手段、として機能させる
ことを特徴とするコンピュータで読取り可能なプログラム。
【請求項９】
グラフィカルユーザインターフェースにより操作を受け付ける通信装置の操作受付方法であって、
アドレス情報に関連付けられ、当該アドレス情報により特定される相手の画像情報および文字情報の少なくとも一方を含む表示データであるリッチアイコンを前記グラフィカルユーザインターフェースに表示し、前記グラフィカルユーザインターフェースを介して前記リッチアイコンに対する操作を受け付けたならば、当該リッチアイコンに関連付けられている前記アドレス情報により特定される相手に対する通信を、当該リッチアイコンに対する操作内容に従って制御する
ことを特徴とする通信装置の操作受付方法。
【発明の詳細な説明】
【技術分野】
【０００１】
本発明は、ＧＵＩ（Ｇｒａｐｈｉｃａｌ  Ｕｓｅｒ  Ｉｎｔｅｒｆａｃｅ、以下、グラフィカルユーザインターフェースと呼称する場合もある）により操作を受け付ける通信装置に関し、特にＧＵＩを介して通信装置に対する操作を受け付ける技術に関する。
【背景技術】
【０００２】
近年、ＧＵＩを備えた通信装置が普及している。例えば、特許文献１に記載のタッチパネルを備えた携帯電話機では、ダイヤルキー等をタッチパネルに表示して、このタッチパネルを介してダイヤル操作を受け付けている。また、特許文献２に記載のタブレットを備えた電話機は、個々の電話番号に対するジェスチャが予め登録されており、タブレットにジェスチャが入力されると、この入力されたジェスチャに対応付けられている電話番号のダイヤル操作を受け付ける。
【先行技術文献】
【特許文献】
【０００３】
【特許文献１】特開２００２−２２９７１９号公報
【特許文献２】特開２００６−９３９０１号公報
【発明の概要】
【発明が解決しようとする課題】
【０００４】
しかしながら、特許文献１に記載の携帯電話機は、ダイヤルキー等の各種キーを物理的に設ける代わりに、これらの各種キーをタッチパネルに表示しているに過ぎず、操作自体は、各種キーが物理的に設けられている既存の電話機と変わらない。また、特許文献２に記載の電話機は、ユーザが電話番号毎にジェスチャを覚えなければならず煩雑である。
【０００５】
本発明は上記事情に鑑みてなされたものであり、本発明の目的は、グラフィカルユーザインターフェースにより操作を受け付ける通信装置において、より直観的な操作を可能とすることにより使い勝手を向上させる技術を提供することにある。
【課題を解決するための手段】
【０００６】
上記課題を解決するために、本発明において、グラフィカルユーザインターフェースにより操作を受け付ける通信装置は、アドレス情報に関連付けられ、このアドレス情報により特定される相手の画像情報および文字情報の少なくとも一方を含む表示データであるリッチアイコンをグラフィカルユーザインターフェースに表示する。そして、グラフィカルユーザインターフェースを介してこのリッチアイコンに対する操作を受け付けたならば、このリッチアイコンに関連付けられているアドレス情報により特定される相手に対する通信を、このリッチアイコンに対する操作内容に従って制御する。
【０００７】
例えば、本発明は、グラフィカルユーザインターフェースにより操作を受け付ける通信装置であって、
アドレス情報に関連付けられ、当該アドレス情報により特定される相手の画像情報および文字情報の少なくとも一方を含む表示データであるリッチアイコンを前記グラフィカルユーザインターフェースに表示するリッチアイコン表示手段と、
前記グラフィカルユーザインターフェースに表示されている前記リッチアイコンに対する操作を受け付けるリッチアイコン操作受付手段と、
前記リッチアイコン操作受付手段により前記リッチアイコンに対する操作を受け付けた場合に、当該リッチアイコンに関連付けられている前記アドレス情報により特定される相手に対する通信を、当該リッチアイコンに対する操作内容に従って制御する通信制御手段と、を有する。
【発明の効果】
【０００８】
本発明によれば、相手に対する通信の各種制御指示を、この相手の画像情報および文字情報の少なくとも一方を含む表示データであるリッチアイコンに対する操作により受け付けるので、より直観的な操作が可能となり、使い勝手を向上させることができる。
【図面の簡単な説明】
【０００９】
【図１】図１は、本発明の第一実施の形態に係る電話システムの概略構成図である。
【図２】図２は、電話端末２の概略機能構成図である。
【図３】図３はアドレス帳記憶部２３の登録内容例を模式的に表した図である。
【図４】図４は、ＧＵＩ部２２に表示される操作画面２７０の一例を示す図である。
【図５】図５は、操作画面２７０に表示されるリッチアイコン２８０の一例を示す図である。
【図６】図６は、電話端末２の通信状態「空」の場合における動作フローを説明するための図である。
【図７】図７は、電話端末２の通信状態「空」の場合における動作フロー（図６の続き）を説明するための図である。
【図８】図８は、電話端末２の通信状態「着信中」の場合における動作フローを説明するための図である。
【図９】図９は、電話端末２の通信状態「通信中」の場合における動作フローを説明するための図である。
【図１０】図１０は、電話端末２の通信状態「通信中」の場合における動作フロー（図９の続き）を説明するための図である。
【図１１】図１１は、電話端末２の通信状態「通信中」の場合における動作フロー（図１０の続き）を説明するための図である。
【図１２】図１２は、電話端末２の通信状態「通信中」の場合における動作フロー（図１１の続き）を説明するための図である。
【図１３】図１３は、電話端末２の通信状態「通信中」の場合における動作フロー（図１２の続き）を説明するための図である。
【図１４】図１４は、発信元のリッチアイコン２８０が表示された操作画面２７０の一例を示す図である。
【図１５】図１５は、アドレス帳記憶部２３に記憶されている発信先候補のリッチアイコン２８０Ａが一覧表示された操作画面２７０の一例を示す図である。
【図１６】図１６は、発信先のリッチアイコン２８０が表示された操作画面２７０の一例を示す図である。
【図１７】図１７は、通話履歴記憶部２４に記憶されている発信先候補のリッチアイコン２８０Ｂが一覧表示された操作画面２７０の一例を示す図である。
【図１８】図１８は、パーク保留中の通話相手のリッチアイコン２８０Ｃがパーク保留ウインドウ２９２に一覧表示された操作画面２７０の一例を示す図である。
【図１９】図１９は、通話中の通話相手のリッチアイコン２８０が表示された操作画面２７０の一例を示す図である。
【図２０】図２０は、ダイヤルパッド２９４が表示された操作画面２７０の一例を示す図である。
【図２１】図２１は、保留中の通話相手のリッチアイコン２８０が表示された操作画面２７０の一例を示す図である。
【図２２】図２２は、転送元および転送先のリッチアイコン２８０が表示された操作画面２７０の一例を示す図である。
【図２３】図２３は、電話会議に参加する通話相手のリッチアイコン２８０Ｄが会議スペースウインドウ２９６に複数表示された操作画面２７０の一例を示す図である。
【発明を実施するための形態】
【００１０】
以下に、本発明の実施の形態について説明する。
【００１１】
図１は、本実施の形態に係る電話システムの概略構成図である。
【００１２】
図示するように、本実施の形態の電話システムは、公衆回線網３に接続された主装置１と、主装置１に収容された複数の電話端末２と、を備えて構成される。主装置１は、呼制御処理を行って、電話端末２の発着信、通話、保留、転送等を制御する。一方、電話端末２は、ＧＵＩ（Ｇｒａｐｈｉｃａｌ  Ｕｓｅｒ  Ｉｎｔｅｒｆａｃｅ）を備えており、ＧＵＩを介して発着信操作、保留操作、転送操作等の電話操作を受け付ける。
【００１３】
つぎに、電話端末２の詳細を説明する。なお、主装置１には既存の一般的な主装置を用いることができるので、その詳細な説明を省略する。
【００１４】
図２は、電話端末２の概略機能構成図である。
【００１５】
電話端末２は、図示するように、通信インターフェース部２０と、音声入出力部２１と、ＧＵＩ部２２と、アドレス帳記憶部２３と、通話履歴記憶部２４と、アドレス帳更新部２５と、パーク保留情報取得部２６と、操作画面表示部２７と、操作受付部２８と、通信制御部２９と、を有している。
【００１６】
通信インターフェース部２０は、主装置１と通信を行うためのインターフェースである。
【００１７】
音声入出力部２１は、マイクおよびスピーカを備え、音声の入出力を行う。
【００１８】
ＧＵＩ部２２は、タッチパネルを備え、情報の表示および操作の受付を行う。
【００１９】
アドレス帳記憶部２３には、アドレス帳データが記憶されている。図３はアドレス帳記憶部２３の登録内容例を模式的に表した図である。
【００２０】
図示するように、アドレス帳記憶部２３には、相手毎にアドレス帳データのレコード２３０が記憶されている。レコード２３０は、レコード２３０を一意に特定するためのＩＤが登録されたフィールド２３１と、相手の電話番号（内線番号あるいは外線番号）が登録されたフィールド２３２と、相手の氏名、所属あるいは勤務先、住所等を含む文字情報が登録されたフィールド２３３と、相手の写真等を含む画像情報が登録されたフィールド２３４と、相手に関するメモデータが登録されたフィールド２３５と、を有する。
【００２１】
通話履歴記憶部２４には、通話毎に相手の電話番号、通話日時情報（通話日、通話の開始および終了時刻）を含む通話履歴が記憶される。
【００２２】
アドレス帳更新部２５は、操作受付部２８あるいは通信制御部２９の指示に従いアドレス帳記憶部２３を更新する。
【００２３】
パーク保留情報取得部２６は、通信インターフェース部２０を介して主装置１から、パーク保留中の呼の各々について、呼の中継に用いている外線の回線番号および保留中の通話相手の電話番号等を含むパーク保留情報を取得する。
【００２４】
操作画面表示部２７は、電話操作のための操作画面をＧＵＩ部２２に表示させる。また、操作画面表示部２７は、操作受付部２８あるいは通信制御部２９の指示に従い、リッチアイコンを生成し、このリッチアイコンを、ＧＵＩ部２２に表示されている操作画面２７０上に表示する。ここで、リッチアイコンとは、通話相手の画像情報および文字情報の少なくとも一方を含む後述の表示データ（図５参照）であり、アドレス帳記憶部２３に記憶されている通話相手のアドレス帳データのレコード２３０に基づき生成される。
【００２５】
図４は、ＧＵＩ部２２に表示される操作画面２７０の一例を示す図である。また、図５は、この操作画面２７０に表示されるリッチアイコン２８０の一例を示す図である。
【００２６】
図４に示すように、操作画面２７０は、アクティブウインドウ２７１と、非アクティブウインドウ２７２と、アドレス帳ボタン２７３と、ダイヤルパッドボタン２７４と、通話履歴ボタン２７５と、電話会議ボタン２７６と、パーク保留ボタン２７７と、を備えている。
【００２７】
アクティブウインドウ２７１は、発信中もしくは通話中の通話相手のリッチアイコン２８０を表示するためのウインドウであり、非アクティブウインドウ２７２は、保留中の通話相手のリッチアイコン２８０を表示するためのウインドウである。
【００２８】
アドレス帳ボタン２７３は、アドレス帳記憶部２３に記憶されている通話相手各々のアドレス帳データのレコード２３０を、リッチアイコン２８０として一覧表示させるための指示を受け付けるためのボタンである。
【００２９】
ダイヤルパッドボタン２７４は、電話番号を直接入力するために用いるダイヤルパッドを表示させるための指示を受け付けるためのボタンである。
【００３０】
通話履歴ボタン２７５は、通話履歴を表示させるためのボタンである。
【００３１】
電話会議ボタン２７６は、電話会議（多者通話）の準備指示を受け付けるためのボタンである。
【００３２】
パーク保留ボタン２７７は、パーク保留情報取得部２６によって取得されたパーク保留情報を、リッチアイコン２８０として一覧表示させるための指示を受け付けるためのボタンである。パーク保留ボタン２７７上には、パーク保留されている通話相手の数２７８が表示される（図１８参照）。
【００３３】
図５に示すように、リッチアイコン２８０は、通話相手の電話番号２８１と、通話相手の氏名、勤務先あるいは所属、住所等を含む文字情報２８２と、通話相手の写真等を含む画像情報２８３と、通話相手に関するメモデータ２８４と、通話相手との通信状態（発信中、着信中、通話中、保留中等）２８５と、通信状態の経過時間２８６と、編集ボタン２８７と、を備えている。ここで、編集ボタン２８７は、リッチアイコン２８０に対応する相手のアドレス帳データのレコード２３０の編集の開始指示を受け付けるためのボタンである。
【００３４】
図２に戻って説明を続ける。操作受付部２８は、ＧＵＩ部２２に表示されている操作画面２７０のボタン２７３〜２７７に対する操作（タップ操作、スワイプ操作等）を介して操作者から指示を受け付けるとともに、操作画面２７０上のリッチアイコン２８０に対する操作（タップ操作、フリック操作、ドラッグアンドドロップ操作等）を介して操作者から電話制御の指示を受け付ける。
【００３５】
通信制御部２９は、操作受付部２８あるいは主装置１の指示に従い、主装置１と連携して通話路の接続、切断、保留、転送等の呼制御処理を行う。また、接続中の通話路を介して通話相手から通信インターフェース部２０に送られてきた音声データを音声入出力部２１から音声出力するとともに、音声入出力部２１に音声入力された音声データを、この接続中の通話路を介して通信インターフェース部２０から通話相手に送出する。
【００３６】
図６および図７は、電話端末２の通信状態「空」の場合における動作フローを説明するための図である。ここで、通信状態「空」とは、発信中、着信中、通話中、および保留中のいずれでもない状態（いわゆる待受け状態）を意味する。
【００３７】
まず、通信制御部２９は、通信インターフェース部２０を介して主装置１から、発信元の電話番号を伴う呼の着信通知を受信すると（Ｓ１００でＹＥＳ）、その旨を発信元の電話番号とともに操作画面表示部２７に通知する。これを受けて、操作画面表示部２７は、発信元の電話番号がフィールド２３２に登録されているレコード２３０をアドレス帳記憶部２３から検索する。そして、図１４に示すように、発信元の電話番号と、このレコード２３０のフィールド２３３〜２３５に登録されている文字情報、画像情報、およびメモデータとに基づいて、これらが表示された発信元のリッチアイコン２８０を生成し、このリッチアイコン２８０の通信状態２８５を「着信中」として、ＧＵＩ部２２に表示されている操作画面２７０上に表示する（Ｓ１０１）。また、通信制御部２９は、着信鳴動を開始して（Ｓ１０２）、電話端末２の通信状態を「着信中」に変更し、後述の図８に示すフローに移行する。
【００３８】
また、操作受付部２８は、ＧＵＩ部２２を介して操作者により操作画面２７０のアドレス帳ボタン２７３がタップされたことを検出すると（Ｓ１１０でＹＥＳ）、その旨を操作画面表示部２７に通知する。これを受けて、操作画面表示部２７は、図１５に示すように、アドレス帳記憶部２３に記憶されているレコード２３０ごとに、フィールド２３２〜２３５に登録されている電話番号、文字情報、画像情報、およびメモデータに基づいて、これらが表示されたリッチアイコン２８０Ａを生成し、これらのリッチアイコン２８０Ａが発信先候補各々のリッチアイコン２８０Ａとして一覧表示されたアドレス帳ウインドウ２９０を操作画面２７０上に表示する（Ｓ１１１）。ここで、リッチアイコン２８０Ａは、図５に示すリッチアイコン２８０から一部の情報が省略された簡略形式のものであってもよい。
【００３９】
つぎに、操作受付部２８は、アドレス帳ウインドウ２９０に一覧表示されているいずれかの発信先候補のリッチアイコン２８０Ａが、ＧＵＩ部２２を介して操作者によりドラッグされて操作画面２７０のアクティブウインドウ２７１内にドロップされたことを検出すると（Ｓ１１２でＹＥＳ）、その旨を操作画面表示部２７および通信制御部２９に通知する。これを受けて、操作画面表示部２７は、図１６に示すように、操作画面２７０からアドレス帳ウインドウ２９０を消去するとともに、アクティブウインドウ２７１内にドロップされた発信先候補のリッチアイコン２８０Ａに対応するレコード２３０をアドレス帳記憶部２３から検索して、このレコード２３０のフィールド２３２〜２３５に登録された電話番号、文字情報、画像情報、およびメモデータに基づき発信先のリッチアイコン２８０を生成し、このリッチアイコン２８０の通信状態２８５を「発信中」として操作画面２７０のアクティブウインドウ２７１内に表示する（Ｓ１１３）。また、通信制御部２９は、アクティブウインドウ２７１内にドロップされた発信先候補のリッチアイコン２８０Ａに対応するレコード２３０をアドレス帳記憶部２３で検索し、このレコード２３０のフィールド２３２に登録されている電話番号を発信先番号とする発信要求を、通信インターフェース部２０を介して主装置１に送信する（Ｓ１１４）。そして、通信制御部２９は、主装置１と連携して呼制御処理を行い、発信先番号により特定される通話相手との通話路を接続する。それから、電話端末２の通信状態を「通信中」に変更するとともに、操作画面表示部２７にアクティブウインドウ２７１内のリッアイコン２８０の通信状態２８５を「通話中」に変更させてから、後述の図９〜図１３に示すフローに移行する。
【００４０】
また、操作受付部２８は、ＧＵＩ部２２を介して操作者により操作画面２７０の通話履歴ボタン２７５がタップされたことを検出すると（Ｓ１２０でＹＥＳ）、その旨を操作画面表示部２７に通知する。これを受けて、操作画面表示部２７は、通話履歴記憶部２４に記憶されている通話履歴を取得する。そして、取得した通話履歴に記録されている通話相手毎に、通話相手の電話番号がフィールド２３２に登録されているレコード２３０をアドレス帳記憶部２３から検索する。そして、図１７に示すように、検索したレコード２３０ごとに、フィールド２３２〜２３５に登録されている電話番号、文字情報、画像情報、およびメモデータに基づいて、これらが表示されたリッチアイコン２８０Ｂを生成し、これらのリッチアイコン２８０Ｂが発信先候補各々のリッチアイコン２８０Ｂとして、通話履歴の通話日時情報２８８とともに一覧表示された通話履歴ウインドウ２９１を操作画面２７０上に表示する（Ｓ１２１）。ここで、リッチアイコン２８０Ｂは、図５に示すリッチアイコン２８０から一部の情報が省略された簡略形式のものであってもよい。
【００４１】
つぎに、操作受付部２８は、通話履歴ウインドウ２９１に一覧表示されているいずれかの発信先候補のリッチアイコン２８０Ｂが、ＧＵＩ部２２を介して操作者によりドラッグされて操作画面２７０のアクティブウインドウ２７１内にドロップされたことを検出すると（Ｓ１２２でＹＥＳ）、その旨を操作画面表示部２７および通信制御部２９に通知する。これを受けて、操作画面表示部２７は、図１６に示すように、操作画面２７０から通話履歴ウインドウ２９１を消去するとともに、アクティブウインドウ２７１内にドロップされた発信先候補のリッチアイコン２８０Ｂに対応するレコード２３０をアドレス帳記憶部２３から検索して、このレコード２３０のフィールド２３２〜２３５に登録された電話番号、文字情報、画像情報、およびメモデータに基づき発信先のリッチアイコン２８０を生成し、このリッチアイコン２８０の通信状態２８５を「発信中」として操作画面２７０のアクティブウインドウ２７１内に表示する（Ｓ１２３）。また、通信制御部２９は、アクティブウインドウ２７１内にドロップされた発信先候補のリッチアイコン２８０Ｂに対応するレコード２３０をアドレス帳記憶部２３から検索し、このレコード２３０のフィールド２３２に登録されている電話番号を発信先番号とする発信要求を、通信インターフェース部２０を介して主装置１に送信する（Ｓ１２４）。そして、通信制御部２９は、主装置１と連携して呼制御処理を行い、発信先番号により特定される通話相手との通話路を接続する。それから、電話端末２の通信状態を「通信中」に変更するとともに、操作画面表示部２７にアクティブウインドウ２７１内のリッアイコン２８０の通信状態２８５を「通話中」に変更させてから、後述の図９〜図１３に示すフローに移行する。
【００４２】
また、操作受付部２８は、ＧＵＩ部２２を介して操作者により操作画面２７０のパーク保留ボタン２７７がスワイプされたことを検出すると（Ｓ１３０でＹＥＳ）、その旨を操作画面表示部２７に通知する。これを受けて、操作画面表示部２７は、パーク保留されている呼各々のパーク保留情報をパーク保留情報取得部２６から取得するとともに、取得したパーク保留情報毎に、パーク保留情報に含まれている保留中の通話相手の電話番号がフィールド２３２に登録されているレコード２３０をアドレス帳記憶部２３から検索し、保留中の通話相手の電話番号と、このレコード２３０のフィールド２３３〜２３５に登録されている文字情報、画像情報、およびメモデータとに基づいて、保留中の通話相手のリッチアイコン２８０Ｃを生成する。そして、図１８に示すように、主装置１に収容された外線（回線番号）毎に設けられたパーク保留スロット２９３の一覧を表示したパーク保留ウインドウ２９２を操作画面２７０に表示するとともに、保留中の各通話相手のリッチアイコン２８０Ｃを、この保留中の通話相手との通話路に用いている外線に対応付けられたパーク保留スロット２９３内に表示する（Ｓ１３１）。ここで、リッチアイコン２８０Ｃは、図５に示すリッチアイコン２８０から一部の情報が省略された簡略形式のものであってもよい。
【００４３】
つぎに、操作受付部２８は、パーク保留ウインドウ２９２に一覧表示されているいずれかの保留中の通話相手のリッチアイコン２８０Ｃが、ＧＵＩ部２２を介して操作者によりドラッグされて操作画面２７０のアクティブウインドウ２７１内にドロップされたことを検出すると（Ｓ１３２でＹＥＳ）、その旨を操作画面表示部２７および通信制御部２９に通知する。これを受けて、操作画面表示部２７は、図１９に示すように、操作画面２７０からパーク保留ウインドウ２９２を消去するとともに、アクティブウインドウ２７１内にドロップされたリッチアイコン２８０Ｃに対応するレコード２３０をアドレス帳記憶部２３から検索し、このレコード２３０のフィールド２３２〜２３５に登録されている電話番号、文字情報、画像情報、およびメモデータに基づいて通話相手のリッチアイコン２８０を生成し、このリッチアイコン２８０の通信状態２８５を「通話中」として操作画面２７０のアクティブウインドウ２７１内に表示する（Ｓ１３３）。また、通信制御部２９は、アクティブウインドウ２７１内にドロップされた保留中の通話相手のリッチアイコン２８０Ｃに対応するパーク保留情報に含まれている外線の回線番号の指定を伴うパーク保留解除要求を、通信インターフェース部２０を介して主装置１に送信する（Ｓ１３４）。これによりパーク保留が解除され、アクティブウインドウ２７１内に表示されているリッチアイコン２８０に対応する通話相手との通話路が接続される。それから、通信制御部２９は、電話端末２の通信状態を「通信中」に変更して、後述の図９〜図１３に示すフローに移行する。
【００４４】
また、操作受付部２８は、ＧＵＩ部２２を介して操作者により操作画面２７０のダイヤルパッドボタン２７４がタップされたことを検出すると（Ｓ１４０でＹＥＳ）、その旨を操作画面表示部２７に通知する。これを受けて、操作画面表示部２７は、図２０に示すように、操作者からダイヤル操作を受け付けるためのダイヤルパッド２９４を操作画面２７０上に表示する（Ｓ１４１）。
【００４５】
つぎに、操作受付部２８は、ＧＵＩ部２２を介して操作者によりダイヤルパッド２９４が操作されて、電話番号が入力されたことを検出すると（Ｓ１４２でＹＥＳ）、その旨を操作画面表示部２７および通信制御部２９に通知する。これを受けて、操作画面表示部２７は、操作画面２７０からダイヤルパッド２９４を消去するとともに、入力された電話番号がフィールド２３２に登録されているレコード２３０をアドレス帳記憶部２３から検索する。そして、図１６に示すように、入力された電話番号と、このレコード２３０のフィールド２３３〜２３５に登録されている文字情報、画像情報、およびメモデータとに基づいて発信先のリッチアイコン２８０を生成し、このリッチアイコン２８０の通信状態２８５を「発信中」として、ＧＵＩ部２２に表示されている操作画面２７０上のアクティブウインドウ２７１内に表示する（Ｓ１４３）。また、通信制御部２９は、通信インターフェース部２０を介して主装置１に、入力された電話番号を発信先番号とする発信要求を送信する（Ｓ１４４）。そして、通信制御部２９は、主装置１と連携して呼制御処理を行い、発信先番号により特定される通話相手との通話路を接続する。それから、電話端末２の通信状態を「通信中」に変更するとともに、操作画面表示部２７にアクティブウインドウ２７１内のリッアイコン２８０の通信状態２８５を「通話中」に変更させてから、後述の図９〜図１３に示すフローに移行する。
【００４６】
図８は、電話端末２の通信状態「着信中」の場合における動作フローを説明するための図である。
【００４７】
まず、操作受付部２８は、操作画面２７０に表示している発信元のリッチアイコン２８０（図１４参照）が、ＧＵＩ部２２を介して操作者によりドラッグされてアクティブウインドウ２７１内にドロップされたことを検出すると（Ｓ２００でＹＥＳ）、その旨を操作画面表示部２７および通信制御部２９に通知する。これを受けて、操作画面表示部２７は、図１９に示すように、このリッチアイコン２８０を、その通信状態２８５を「通話中」に変更してアクティブウインドウ２７１内に移動する（Ｓ２０１）。また、通信制御部２９は、通信インターフェース部２０を介して主装置１に着信応答を送信して、発信元との通話路を接続するとともに（Ｓ２０２）、着信鳴動を停止する（Ｓ２０３）。それから、通信制御部２９は、電話端末２の通信状態を「通信中」に変更するとともに、操作画面表示部２７にアクティブウインドウ２７１内のリッアイコン２８０の通信状態２８５を「通話中」に変更させてから、後述の図９〜図１３に示すフローに移行する。
【００４８】
また、操作受付部２８は、操作画面２７０に表示されている発信元のリッチアイコン２８０が、ＧＵＩ部２２を介して操作者によりフリックされたことを検出すると（Ｓ２１０でＹＥＳ）、その旨を操作画面表示部２７および通信制御部２９に通知する。これを受けて、操作画面表示部２７は、操作画面２７０から発信元のリッチアイコン２８０を消去する（Ｓ２１１）。また、通信制御部２９は、通信インターフェース部２０を介して主装置１に着信拒否を送信するとともに（Ｓ２１２）、着信鳴動を停止する（Ｓ２１３）。それから、通信制御部２９は、通話履歴記憶部２４に記憶されている通話履歴を更新した後（Ｓ２１４）、電話端末２の通信状態を「空」に変更して、前述の図６および図７に示すフローに移行する。
【００４９】
また、通信制御部２９は、通信インターフェース部２０を介して主装置１から着信中の呼について切断通知を受信すると（Ｓ２２０でＹＥＳ）、その旨を操作画面表示部２７および通信制御部２９に通知する。これを受けて、操作画面表示部２７は、操作画面２７０から発信元のリッチアイコン２８０を消去する（Ｓ２２１）。また、通信制御部２９は、着信鳴動を停止するとともに（Ｓ２２２）、通話履歴記憶部２４に記憶されている通話履歴を更新する（Ｓ２２３）。その後、通信制御部２９は、電話端末２の通信状態を「空」に変更して、前述の図６および図７に示すフローに移行する。
【００５０】
図９〜図１３は、電話端末２の通信状態「通信中」の場合における動作フローを説明するための図である。ここで、通信状態「通信中」とは、通話中および保留中の少なくとも一方の状態を意味する。
【００５１】
まず、通信制御部２９は、通信インターフェース部２０を介して主装置１から通話中の通話相手の切断通知を受信すると（Ｓ３００でＹＥＳ）、その旨を操作画面表示部２７および通信制御部２９に通知する。これを受けて、操作画面表示部２７は、アクティブウインドウ２７１からリッチアイコン２８０を消去する（Ｓ３０１）。また、通信制御部２９は、通話中の通話相手との通話路を切断するとともに（Ｓ３０２）、通話履歴記憶部２４に記憶されている通話履歴を更新する（Ｓ３０３）。それから、通信制御部２９は、非アクティブウインドウ２７２内にリッチアイコン２８０が表示されているならば、つまり保留中の通話相手が存在するならば（Ｓ３０４でＹＥＳ）、Ｓ３００に戻り、保留中の通話相手が存在しないならば（Ｓ３０４でＮＯ）、電話端末２の通信状態を「空」に変更して、前述の図６および図７に示すフローに移行する。
【００５２】
また、通信制御部２９は、通信インターフェース部２０を介して主装置１から保留中の通話相手の切断通知を受信すると（Ｓ３１０でＹＥＳ）、その旨を操作画面表示部２７および通信制御部２９に通知する。これを受けて、操作画面表示部２７は、非アクティブウインドウ２７２からリッチアイコン２８０を消去する（Ｓ３１１）。また、通信制御部２９は、通話履歴記憶部２４に記憶されている通話履歴を更新し（Ｓ３１２）、その後、アクティブウインドウ２７１内にリッチアイコン２８０が表示されているならば、つまり通話中の通話相手が存在するならば（Ｓ３１３でＹＥＳ）、Ｓ３００に戻り、通話中の相手が存在しないならば（Ｓ３１３でＮＯ）、電話端末２の通信状態を「空」に変更して、前述の図６および図７に示すフローに移行する。
【００５３】
また、操作受付部２８は、アクティブウインドウ２７１内にリッチアイコン２８０が表示されていない状態（通話中でなく、かつ保留中の状態）において（Ｓ３２０でＹＥＳ）、非アクティブウインドウ２７２内の保留中の通話相手のリッチアイコン２８０（図２１参照）が、ＧＵＩ部２２を介して操作者によりドラッグされてアクティブウインドウ２７１内にドロップされたことを検出すると（Ｓ３２１でＹＥＳ）、その旨を操作画面表示部２７および通信制御部２９に通知する。これを受けて、操作画面表示部２７は、図１９に示すように、この保留中の通話相手のリッチアイコン２８０を、その通信状態２８５を「通話中」に変更し、非アクティブウインドウ２７２内からアクティブウインドウ２７１内に移動する（Ｓ３２２）。また、通信制御部２９は、ドロップされたリッチアイコン２８０に対応する保留中の通話相手の保留を解除して通話路を接続する（Ｓ３２３）。その後、Ｓ３００に戻る。
【００５４】
また、操作受付部２８が、アクティブウインドウ２７１内にリッチアイコン２８０が表示されていない状態において（Ｓ３２０でＹＥＳ）、操作画面２７０のアドレス帳ボタン２７３がタップされたことを検出すると（Ｓ３２４でＹＥＳ）、操作受付部２８および通信制御部２９が前述の図６に示すＳ１１１〜Ｓ１１４と同様な処理を実行し（Ｓ３２５）、それからＳ３００に戻る。
【００５５】
また、操作受付部２８が、アクティブウインドウ２７１内にリッチアイコン２８０が表示されていない状態において（Ｓ３２０でＹＥＳ）、操作画面２７０の通話履歴ボタン２７５がタップされたことを検出すると（Ｓ３２６でＹＥＳ）、操作受付部２８および通信制御部２９が前述の図６に示すＳ１２１〜Ｓ１２４と同様な処理を実行し（Ｓ３２７）、それからＳ３００に戻る。
【００５６】
また、操作受付部２８が、アクティブウインドウ２７１内にリッチアイコン２８０が表示されていない状態において（Ｓ３２０でＹＥＳ）、操作画面２７０のパーク保留ボタン２７７がスワイプされたことを検出すると（Ｓ３２８でＹＥＳ）、操作受付部２８および通信制御部２９が、前述の図７に示すＳ１３１〜Ｓ１３４と同様な処理を実行し（Ｓ３２９）、それからＳ３００に戻る。
【００５７】
また、操作受付部２８が、アクティブウインドウ２７１内にリッチアイコン２８０が表示されていない状態において（Ｓ３２０でＹＥＳ）、操作画面２７０のダイヤルパッドボタン２７４がタップされたことを検出すると（Ｓ３３０でＹＥＳ）、操作受付部２８および通信制御部２９が、前述の図７に示すＳ１４１〜Ｓ１４４と同様な処理を実行し（Ｓ３３１）、それからＳ３００に戻る。
【００５８】
一方、操作受付部２８は、アクティブウインドウ２７１内に通話中の通話相手のリッチアイコン２８０が表示されている状態（通話中の状態）において（Ｓ３２０でＮＯ）、アクティブウインドウ２７１内の通話相手のリッチアイコン２８０（図１９参照）が、ＧＵＩ部２２を介して操作者によりドラッグされて非アクティブウインドウ２７２内にドロップされたことを検出すると（Ｓ３４０でＹＥＳ）、その旨を操作画面表示部２７および通信制御部２９に通知する。
【００５９】
これを受けて、操作画面表示部２７は、アクティブウインドウ２７１内のリッチアイコン２８０が非アクティブウインドウ２７２にドロップされる直前に、非アクティブウインドウ２７２内に他のリッチアイコン２８０が表示されていないならば、つまり保留中の通話相手が存在しないならば（Ｓ３４１でＹＥＳ）、図２１に示すように、このドロップされた通話相手のリッチアイコン２８０を、その通信状態２８５を「保留中」に変更してアクティブウインドウ２７１内から非アクティブウインドウ２７２内に移動する（Ｓ３４２）。また、通信制御部２９は、ドロップされたリッチアイコン２８０に対応する通話相手との通話を保留し（Ｓ３４３）、その後、Ｓ３００に戻る。
【００６０】
一方、アクティブウインドウ２７１内のリッチアイコン２８０が非アクティブウインドウ２７２にドロップされる直前に、非アクティブウインドウ２７２内に他のリッチアイコン２８０が表示されていたならば、つまり保留中の通話相手が存在するならば（Ｓ３４１でＮＯ）、図２２に示すように、アクティブウインドウ２７１内から非アクティブウインドウ２７２内にドロップされた通話相手のリッチアイコン２８０と、非アクティブウインドウ２７２内に表示されている他の保留中の通話相手のリッチアイコン２８０とを操作画面２７０に並べて表示するとともに、転送を開始するためのダイアログボックス２９５を操作画面２７０に表示する。通信制御部２９は、ＧＵＩ部２２および操作受付部２８を介して、この操作画面２７０上で操作者が入力した転送開始指示を受け付けたならば、操作画面２７０に並列表示された各リッチアイコン２８０に対応する通話相手の電話番号の指定を伴う転送要求を、通信インターフェース部２０を介して主装置１に送信する。これにより、アクティブウインドウ２７１内のリッチアイコン２８０に対応する通話中の通話相手の呼が、非アクティブウインドウ２７２内の他のリッチアイコン２８０に対応する保留中の通話相手に転送される（Ｓ３４４）。それから、操作画面表示部２７は、操作画面２７０に並列表示された各リッチアイコン２８０を消去し、通信制御部２９は、通話履歴記憶部２４に記憶されている通話履歴を更新し（Ｓ３４５）、その後、電話端末２の通信状態を「空」に変更して、前述の図６および図７に示すフローに移行する。
【００６１】
また、操作受付部２８は、アクティブウインドウ２７１内に通話中の通話相手のリッチアイコン２８０が表示されている状態において（Ｓ３２０でＮＯ）、アクティブウインドウ２７１内のリッチアイコン２８０（図１９参照）がフリックされたことを検出すると（Ｓ３５０でＹＥＳ）、その旨を操作画面表示部２７および通信制御部２９に通知する。これを受けて、操作画面表示部２７は、アクティブウインドウ２７１からリッチアイコン２８０を消去する（Ｓ３５１）。また、通信制御部２９は、フリックされたリッチアイコン２８０に対応する通話中の通話相手との通話路の切断要求を、通信インターフェース部２０を介して主装置１に送信して、この通話路を切断するとともに（Ｓ３５２）、通話履歴記憶部２４に記憶されている通話履歴を更新する（Ｓ３５３）。それから、通信制御部２９は、非アクティブウインドウ２７２内にリッチアイコン２８０が表示されているならば、つまり保留中の通話相手が存在するならば（Ｓ３５４でＹＥＳ）、Ｓ３００に戻り、保留中の通話相手が存在しないならば（Ｓ３５４でＮＯ）、電話端末２の通信状態を「空」に変更して、前述の図６および図７に示すフローに移行する。
【００６２】
また、操作受付部２８は、アクティブウインドウ２７１内に通話中の通話相手のリッチアイコン２８０が表示されている状態において（Ｓ３２０でＮＯ）、操作画面２７０のパーク保留ボタン２７７がスワイプされたことを検出すると（Ｓ３６０でＹＥＳ）、その旨を操作画面表示部２７に通知する。これを受けて、操作画面表示部２７は、パーク保留情報取得部２６からパーク保留されている各通話相手のパーク保留情報を取得するとともに、取得したパーク保留情報毎に、パーク保留情報に含まれている電話番号がフィールド２３２に登録されているレコード２３０をアドレス帳記憶部２３から検索し、この電話番号と、検索したレコード２３０のフィールド２３３〜２３５に登録されている文字情報、画像情報、およびメモデータとに基づいて、パーク保留されている通話相手のリッチアイコン２８０Ｃを生成する。そして、図７のＳ１３１と同様、図１８に示すように、主装置１に収容された外線毎に設けられたパーク保留スロット２９３が一覧表示されたパーク保留ウインドウ２９２を操作画面２７０に表示するとともに、パーク保留されている各通話相手のリッチアイコン２８０Ｃを、この通話相手との通話路に用いている外線に対応付けられたパーク保留スロット２９３内に表示する（Ｓ３６１）。
【００６３】
つぎに、操作受付部２８は、アクティブウインドウ２７１内の通話中の通話相手のリッチアイコン２８０がドラッグされて、リッチアイコン２８０Ｃが表示されていないパーク保留スロット２９３内にドロップされたことを検出すると（Ｓ３６２でＹＥＳ）、その旨を操作画面表示部２７および通信制御部２９に通知する。これを受けて、操作画面表示部２７は、アクティブウインドウ２７１からドロップ先のパーク保留スロット２９３に通話中の通話相手のリッチアイコン２８０を移動する（Ｓ３６３）。また、通信制御部２９は、アクティブウインドウ２７１内からパーク保留スロット２９３内にドロップされたリッチアイコン２８０に対応する通話中の通話相手の電話番号およびドロップ先のパーク保留スロット２９３に対応する外線の回線番号の指示を伴うパーク保留要求を、通信インターフェース部２０を介して主装置１に送信して、この通話中の通話相手をパーク保留させる（Ｓ３６４）。それから、通信制御部２９は、非アクティブウインドウ２７２内にリッチアイコン２８０が表示されている、つまり保留中の通話相手が存在するならば（Ｓ３６５でＹＥＳ）、Ｓ３００に戻り、保留中の通話相手が存在しないならば（Ｓ３６５でＮＯ）、電話端末２の通信状態を「空」に変更して、前述の図６および図７に示すフローに移行する。
【００６４】
また、操作受付部２８は、アクティブウインドウ２７１内に通話中の通話相手のリッチアイコン２８０が表示されており（Ｓ３２０でＮＯ）、かつ操作画面２７０に会議スペースウインドウ２９６（図２３参照）が表示されていない状態において（Ｓ３７０でＮＯ）、操作画面２７の電話会議ボタン２７６がタップされたことを検出すると（Ｓ３７１でＹＥＳ）、その旨を操作画面表示部２７に通知する。これを受けて、操作画面表示部２７は、図２３に示すように、電話会議（多者通話）に参加する通話相手のリッチアイコン２８０Ｄの一覧を表示するための会議スペースウインドウ２９６を操作画面２７０上に表示する（Ｓ３７２）。ここで、リッチアイコン２８０Ｄは、図５に示すリッチアイコン２８０から一部の情報が省略された簡略形式のものであってもよい。
【００６５】
また、操作受付部２８は、アクティブウインドウ２７１内に通話中の通話相手のリッチアイコン２８０が表示されており（Ｓ３２０でＮＯ）、かつ操作画面２７０に会議スペースウインドウ２９６が表示されている状態において（Ｓ３７０でＹＥＳ）、アクティブウインドウ２７１内の通話中の通話相手のリッチアイコン２８０がドラッグされて会議スペースウインドウ２９６内にドロップされたことを検出すると（Ｓ３８０でＹＥＳ）、その旨を操作画面表示部２７および通信制御部２９に通知する。これを受けて、操作画面表示部２７は、図２３に示すように、アクティブウインドウ２７１から通話中の通話相手のリッチアイコン２８０を、電話会議に参加する通話相手のリッチアイコン２８０Ｄとして会議スペースウインドウ２９６内に移動する（Ｓ３８１）。また、通信制御部２９は、アクティブウインドウ２７１内から会議スペースウインドウ２９６内にドロップされたリッチアイコン２８０Ｄに対応する通話中の通話相手との通話を保留する（Ｓ３８２）。
【００６６】
その後、操作受付部２８は、会議スペースウインドウ２９６内の会議開始ボタン２９７がタップされることにより、操作者から電話会議開始指示を受け付けると（Ｓ３８３でＹＥＳ）、会議スペースウインドウ２９６内にリッチアイコン２８０Ｄが複数表示されているならば（Ｓ３８４でＹＥＳ）、通信制御部２９に、会議スペースウインドウ２９６内に表示されている各リッチアイコン２８０Ｄに対応する通話相手の電話番号を通知して、多者通話の開始を指示する。これを受けて、通信制御部２９は、会議スペースウインドウ２９６内に表示されている各リッチアイコン２８０Ｄに対応する通話相手の保留を解除して、これらの通話相手と多者通話（電話会議）を開始する（Ｓ３８５）。
【００６７】
その後、操作受付部２８は、会議スペースウインドウ２９６内の会議終了ボタン２９８がタップされることにより、操作者から電話会議終了指示を受け付けると（Ｓ３８６でＹＥＳ）、その旨を、操作画面表示部２７および通信制御部２９に通知する。これを受けて、操作画面表示部２７は、操作画面２７０から会議スペースウインドウ２９６を消去する。また、通信制御部２９は、多者通話を終了して、多者通話に参加した通話相手各々との通話路を切断する（Ｓ３８７）。それから、通信制御部２９は、通話履歴記憶部２４に記憶されている通話履歴を更新するとともに（Ｓ３８９）、非アクティブウインドウ２７２内に保留中の通話相手のリッチアイコン２８０が表示されているならば、つまり保留中の通話相手が存在するならば（Ｓ３９０でＹＥＳ）、Ｓ３００に戻り、保留中の通話相手が存在しないならば（Ｓ３９０でＮＯ）、電話端末２の通信状態を「空」に変更して、前述の図６および図７に示すフローに移行する。
【００６８】
以上、本発明の一実施の形態について説明した。
【００６９】
本実施の形態において、電話端末２は、アドレス情報（電話番号）に関連付けられ、このアドレス情報により特定される通話相手の画像情報および文字情報の少なくとも一方を含む表示データであるリッチアイコン２８０をＧＵＩ部２２の操作画面２７０に表示する。そして、操作画面２７０を介して、このリッチアイコン２８０に対する操作を受け付けたならば、このリッチアイコン２８０に関連付けられているアドレス情報により特定される通話相手に対する電話を、このリッチアイコン２８０に対する操作内容に従って制御する。
【００７０】
例えば、リッチアイコン２８０がドラッグされ、操作画面２７０に表示されているアクティブウインドウ２７１内にドロップされた場合、このリッチアイコン２８０に関連付けられているアドレス情報により特定される通話相手から着信しているならば着信応答し、着信していないならばこの通話相手に発信し、そして、この通話相手との通話が保留中ならば保留解除する。
【００７１】
また、アクティブウインドウ２７１内のリッチアイコン２８０がドラッグされ、操作画面２７０に表示されている非アクティブウインドウ２７２内にドロップされた場合、このリッチアイコン２８０に関連付けられているアドレス情報により特定される通話相手との通話を保留する。
【００７２】
また、アクティブウインドウ２７１内のリッチアイコン２８０がドラッグされ、非アクティブウインドウ２７２内にドロップされた場合に、非アクティブウインドウ２７２内に他のリッチアイコン２８０が表示されているならば、ドロップされたリッチアイコン２８０に関連付けられているアドレス情報により特定される通話相手の呼を、非アクティブウインドウ２７２内に表示されている他のリッチアイコン２８０に関連付けられているアドレス情報により特定される他の通話相手へ転送する。
【００７３】
また、アクティブウインドウ２７１内のリッチアイコン２８０がドラッグされ、操作画面２７０に表示されている会議スペースウインドウ２９６内にドロップされた場合に、このリッチアイコン２８０に関連付けられているアドレス情報により特定される通話相手との通話を保留する。そして、会議スペースウインドウ２９６内に複数のリッチアイコン２８０Ｄが配置されている状態で会議開始ボタン２９７がタップされた場合に、会議スペースウインドウ２９６内に配置されている複数のリッチアイコン２８０Ｄのそれぞれに関連付けられているアドレス情報により特定される複数の通話相手の保留を解除して、多者通話を開始する。
【００７４】
このように、本実施の形態によれば、所望の通話相手に対する電話操作を、この通話相手の画像情報および文字情報の少なくとも一方を含む表示データであるリッチアイコン２８０に対する操作により受け付けるので、より直観的な操作が可能となり、使い勝手を向上させることができる。
【００７５】
また、本実施の形態において、電話端末２は、通話相手毎に、通話相手のアドレス情報（電話番号）をこの通話相手の画像情報および文字情報の少なくとも一方に関連付けてアドレス帳記憶部２３に記憶しており、操作画面２７０に表示されているアドレス帳ボタン２７３が選択された場合に、アドレス帳記憶部２３に記憶されている各通話相手の画像情報および文字情報の少なくとも一方を含むリッチアイコン２８０Ａが一覧表示されたアドレス帳ウインドウ２９０を操作画面２７０上に表示する。このため、操作者は、アドレス帳記憶部２３にアドレス情報が記憶されている通話相手のなかから、連絡を取りたい通話相手を迅速に見つけ出すことができる。
【００７６】
また、本実施の形態において、電話端末２は、操作画面２７０に表示されているパーク保留ボタン２７７がスワイプされた場合に、主装置１からパーク保留中の各通話相手のアドレス情報を取得し、アドレス帳記憶部２３に記憶されているパーク保留中の各通話相手の画像情報および文字情報の少なくとも一方を含むリッチアイコン２８０Ｃが一覧表示されたパーク保留ウインドウ２９２を操作画面２７０上に表示する。このため、操作者は、パーク保留中の通話相手のなかから、連絡を取りたい通話相手を迅速に見つけ出すことができる。
【００７７】
なお、本発明は上記の実施の形態に限定されるものではなく、その要旨の範囲内で数々の変形が可能である。
【００７８】
例えば、上記の実施の形態において、リッチアイコン２８０を表示したい通話相手のアドレス情報がアドレス帳記憶部２３に記憶されていない場合、通話相手を特定できないことを示す所定の画像情報および所定の文字情報の少なくとも一方を含むリッチアイコン２８０を生成して、操作画面２７０に表示するようにしてもよい。
【００７９】
また、上記の実施の形態では、ＧＵＩ部２２がタッチパネルで構成され、操作画面２７０に表示されているリッチアイコン２８０、２８０Ａ〜Ｄ、および各種ボタン２７３〜２７７に対する操作を、タップ、ドラッグアンドドロップ、スワイプ、フリック等のタッチパネル特有の操作で受け付ける場合を例に説明した。しかしながら、本発明はこれに限定されない。ＧＵＩ部２２がマウス等のポインティングデバイスおよびディスプレイを備えて構成されている場合は、クリック、ドラッグアンドドロップ等の操作で受け付けてもよい。
【００８０】
また、上記の実施の形態において、図２に示す電話端末２の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）等の集積ロジックＩＣによりハード的に実現されるものでもよいし、あるいは、ＤＳＰ（Ｄｉｇｉｔａｌ  Ｓｉｇｎａｌ  Ｐｒｏｃｅｓｓｏｒ）等によりソフトウエア的に実現されるものでもよい。もしくは、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【００８１】
また、上記の実施の形態では、本発明を電話端末２に適用した場合を例に説明したが、本発明は、ＧＵＩを備えた通信装置に広く適用可能である。
【符号の説明】
【００８２】
１：主装置、  ２：電話端末、  ３：公衆回線網、  ２０：通信インターフェース部、  ２１：音声入出力部、  ２２：ＧＵＩ部、  ２３：アドレス帳記憶部、  ２４：通話履歴記憶部、  ２５：アドレス帳更新部、  ２６：パーク保留情報取得部、  ２７：操作画面表示部、  ２８：操作受付部、  ２９：通信制御部
【図１】
2014175677.tif 000003
【図２】
2014175677.tif 000004
【図３】
2014175677.tif 000005
【図４】
2014175677.tif 000006
【図５】
2014175677.tif 000007
【図６】
2014175677.tif 000008
【図７】
2014175677.tif 000009
【図８】
2014175677.tif 000010
【図９】
2014175677.tif 000011
【図１０】
2014175677.tif 000012
【図１１】
2014175677.tif 000013
【図１２】
2014175677.tif 000014
【図１３】
2014175677.tif 000015
【図１４】
2014175677.tif 000016
【図１５】
2014175677.tif 000017
【図１６】
2014175677.tif 000018
【図１７】
2014175677.tif 000019
【図１８】
2014175677.tif 000020
【図１９】
2014175677.tif 000021
【図２０】
2014175677.tif 000022
【図２１】
2014175677.tif 000023
【図２２】
2014175677.tif 000024
【図２３】
2014175677.tif 000025